(57)【要約】      （修正有）【課題】スイッチの操作により学習者が選択する模造体に対する正誤判断機能と正解を教える機能の２つの機能が動作する構成を提供する。【解決手段】第１スイッチ４の操作により第１スイッチ４と第１音声回路２の連結又は、第１スイッチ４と第２音声回路３の連結が決定するため、第１スイッチ４による接点切り替えに応じて動作電圧は複数の第１スイッチ４と第１音声回路２の連結を解除すると共に、複数の第１スイッチ４と第２音声回路３の連結を解除する第２スイッチ１０による導通操作を経て第１音声回路２又は第２音声回路３に供給され、スペース６に乗せる模造体７に対して正誤判断を行う。又、第１スイッチ４を活用することで正解を教える機能を付加している。複数の第１スイッチ４を２回路対応型とし、各々の第１スイッチ４を操作して接点を切り替えることで模造体７を教える。【選択図】図２
2008287201.tif 000002
【特許請求の範囲】
【請求項１】
（イ）  知育装置（１）に正解を伝える第１音声回路（２）を設け、不正解を伝える第２音声回路（３）を設ける。
（ロ）  前記知育装置（１）に正解を伝える前記第１音声回路（２）と不正解を伝える前記第２音声回路（３）の動作電圧の供給の選択を担う、質問者が操作する複数の第１スイッチ（４）を設ける。
（ハ）  前記知育装置（１）内の基板に各々の前記第１スイッチ（４）と連結するトランジスタスイッチ（５）を設ける。
（ニ）  前記知育装置（１）に１つのスペース（６）を設ける。
（ホ）  複数の模造体（７）を設け、複数の模造体（７）の中から解答として選択する模造体（７）を前記スペース（６）に乗せる様にする。
（ヘ）  前記スペース（６）に複数の第１光センサー（８）を設け、各々の第１光センサー（８）の反応により各々の第１光センサー（８）と対応関係にある前記トランジスタスイッチ（５）を動作させる様にする。
（ト）  複数の前記模造体（７）の各々に位置の異なる１つの穴（９）を設け、前記模造体（７）を前記スペース（６）に乗せた際に位置の異なる１つの穴（９）は複数の前記第１光センサー（８）の中の対応関係にある前記第１光センサー（８）と対面する様にする。
（チ）  複数の前記第１スイッチ（４）と前記第１音声回路（２）の連結を解除すると共に、複数の前記第１スイッチ（４）と前記第２音声回路（３）の連結を解除する第２スイッチ（１０）を設ける。
（リ）  複数の前記第１スイッチ（４）を２回路対応型とし、各々の前記第１スイッチ（４）を操作して接点を切り替えることで連結するＬＥＤ点灯回路（１１）を付加し、各々のＬＥＤ点灯回路（１１）により点灯するＬＥＤ（１２）を設ける。
（ヌ）  前記スペース（６）に第２光センサー（１３）を設け、第２光センサー（１３）の反応によりリレー（１４）を動作させるか否かで複数の前記第１光センサー（８）、複数の前記第１光センサー（８）の増幅回路及び複数の前記トランジスタスイッチ（５）と、前記ＬＥＤ点灯回路（１１）側の複数の前記第１スイッチ（４）の動作電圧の供給の選択を担う様にする。
（ル）  前記リレー（１４）と前記ＬＥＤ点灯回路（１１）側の複数の前記第１スイッチ（４）の連結を解除する接点部（１５）を設け、接点部（１５）を前記第２スイッチ（１０）に増設することで接点部（１５）が前記第２スイッチ（１０）の操作により動作する様にし、前記リレー（１４）の動作の際に前記第２スイッチ（１０）の操作により前記ＬＥＤ点灯回路（１１）側の複数の前記第１スイッチ（４）に動作電圧を供給する様にする。
以上の様に構成した知育装置。
【発明の詳細な説明】
【技術分野】
【０００１】  本発明は正誤判断機能を備えた知育装置に関するものである。
【背景技術】
【０００２】  正解を伝える第１音声回路と不正解を伝える第２音声回路を設け、正解を伝える第１音声回路と不正解を伝える第２音声回路の各々の動作電圧の供給の選択を担う、質問者が操作する複数の第１スイッチを設け、各々の第１スイッチと連結する第２スイッチを設け、学習者が正解と思う模造体をスペースから取り去る行為により光センサーが反応して第２スイッチを動作させ、第１スイッチに動作電圧を供給する様にした知育装置には特開２００２−２４４５４１がある。又、特開２００２−２４４５４１のものに対し、正解を伝える第１音声回路と不正解を伝える第２音声回路の各々の動作電圧の供給の選択を担う、質問者が操作する複数の第１スイッチを設け、各々の第１スイッチと連結するトランジスタスイッチを設け、知育装置に１つのスペースを設け、複数の模造体の各々に位置の異なる１つの穴を設け、模造体をスペースに乗せた際に位置の異なる１つの穴はスペースに設ける複数の光センサーの中の対応関係にある１つの光センサーと対面する様にし、学習者が正解と思う模造体をスペースに乗せる行為により光センサーが反応してトランジスタスイッチを動作させ、第１スイッチに動作電圧を供給する様にした知育装置がある。
【発明が解決しようとする課題】
【０００３】  この知育装置は２回路対応型の複数の第１スイッチを設け、各々の第１スイッチを操作して接点を切り替えることで連結するＬＥＤ点灯回路を付加し、各々のＬＥＤ点灯回路により点灯するＬＥＤを設け、ＬＥＤ点灯回路側の複数の第１スイッチと連結する第３スイッチを設けることで学習者が選択する模造体に対する正誤判断機能の他に正解を教える機能を付加したものである。この知育装置には複数の第１スイッチと正解を伝える第１音声回路の連結を解除すると共に、複数の第１スイッチと不正解を伝える第２音声回路の連結を解除するスイッチが設けられているが、本発明はこのスイッチの操作により学習者が選択する模造体に対する正誤判断機能と正解を教える機能の２つの機能が動作する構成を提供するものである。
【課題を解決するための手段】
【０００４】（イ）  知育装置１に正解を伝える第１音声回路２を設け、不正解を伝える第２音声回路３を設ける。
（ロ）  前記知育装置１に正解を伝える前記第１音声回路２と不正解を伝える前記第２音声回路３の動作電圧の供給の選択を担う、質問者が操作する複数の第１スイッチ４を設ける。
（ハ）  前記知育装置１内の基板に各々の前記第１スイッチ４と連結するトランジスタスイッチ５を設ける。
（ニ）  前記知育装置１に１つのスペース６を設ける。
（ホ）  複数の模造体７を設け、複数の模造体７の中から解答として選択する模造体７を前記スペース６に乗せる様にする。
（ヘ）  前記スペース６に複数の第１光センサー８を設け、各々の第１光センサー８の反応により各々の第１光センサー８と対応関係にある前記トランジスタスイッチ５を動作させる様にする。
（ト）  複数の前記模造体７の各々に位置の異なる１つの穴９を設け、前記模造体７を前記スペース６に乗せた際に位置の異なる１つの穴９は複数の前記第１光センサー８の中の対応関係にある前記第１光センサー８と対面する様にする。
（チ）  複数の前記第１スイッチ４と前記第１音声回路２の連結を解除すると共に、複数の前記第１スイッチ４と前記第２音声回路３の連結を解除する第２スイッチ１０を設ける。
（リ）  複数の前記第１スイッチ４を２回路対応型とし、各々の前記第１スイッチ４を操作して接点を切り替えることで連結するＬＥＤ点灯回路１１を付加し、各々のＬＥＤ点灯回路１１により点灯するＬＥＤ１２を設ける。
（ヌ）  前記スペース６に第２光センサー１３を設け、第２光センサー１３の反応によりリレー１４を動作させるか否かで複数の前記第１光センサー８、複数の前記第１光センサー８の増幅回路及び複数の前記トランジスタスイッチ５と、前記ＬＥＤ点灯回路１１側の複数の前記第１スイッチ４の動作電圧の供給の選択を担う様にする。
（ル）  前記リレー１４と前記ＬＥＤ点灯回路１１側の複数の前記第１スイッチ４の連結を解除する接点部１５を設け、接点部１５を前記第２スイッチ１０に増設することで接点部１５が前記第２スイッチ１０の操作により動作する様にし、前記リレー１４の動作の際に前記第２スイッチ１０の操作により前記ＬＥＤ点灯回路１１側の複数の前記第１スイッチ４に動作電圧を供給する様にする。
以上の様に構成する。
【発明を実施するための最良の形態】
【０００５】  質問者は模造体７に関する質問をし、正解となる第１スイッチ４を操作し、学習者は解答として選択する模造体７を１つのスペース６に乗せ、正解を伝える第１音声回路２と不正解を伝える第２音声回路３の各々の動作電圧の供給の選択によりスペース６上の模造体７に対して正誤判断を行う知育装置１である。なお、第１音声回路２と第２音声回路３は増幅回路、スピーカー１６を含むものである。又、第１音声回路２と第２音声回路３は言葉による音声の他、正解をチャイム音、不正解をブザー音により伝える手段が図られる。
質問者は多くの模造体７の中から質問の対象となる複数の模造体７を選出するが、ここでは選出する模造体７の数を４個と決定する。本発明の知育装置１は２種類のサイズの模造体７が使用できる構成を有している。つまり、小さいサイズの模造体７はボード上に立体的に造作し、又、大きいサイズの模造体７はボード上に写真を含め、平面的に造作して選択肢を増やしたものである。図１においては学習者が別々に選択した、２種類のサイズの模造体７がスペース６に乗せられ様とする状況に至るものである。但し、知育装置１の使用に際してはどのサイズの模造体７に統一するか予め決定しておく事が能率的である。又、２種類のサイズの模造体７には各々位置の異なる１つの穴９を設けると共に、それぞれに番号を付与し、又、複数の第１スイッチ４の各々にも対応する番号を割り振る。又、スペース６に複数の第１光センサー８を設けるが、８ａは番号の１に対応する第１光センサー８であり、同様に８ｂ、８ｃ、８ｄはそれぞれ番号の２、３、４に対応する第１光センサー８である。因に図１においては２種類のサイズの模造体７は２個共に番号の４が付与されたものであり、又、第１光センサー８の符号は８ａ、８ｂ、８ｃ、８ｄとして表記している。
質問者は正解集冊子に沿って第１スイッチ４を操作して接点を切り替え、又、学習者は解答として選択する模造体７をスペース６に乗せることになる。各々の模造体７に設ける位置の異なる１つの穴９は複数の第１光センサー８の中の対応関係にある第１光センサー８と対面するため、穴９を通過する光を受光した第１光センサー８の反応により増幅回路を経てこの第１光センサー８と対応関係にあるトランジスタスイッチ５を動作させ、トランジスタスイッチ５と連結する第１スイッチ４に動作電圧を供給することになる。
又、第１スイッチ４の操作により第１スイッチ４と第１音声回路２の連結又は、第１スイッチ４と第２音声回路３の連結が決定するため、第１スイッチ４による接点切り替えに応じて動作電圧は複数の第１スイッチ４と第１音声回路２の連結を解除すると共に、複数の第１スイッチ４と第２音声回路３の連結を解除する第２スイッチ１０による導通操作を経て第１音声回路２又は第２音声回路３に供給され、スペース６に乗せる模造体７に対して正誤判断を行うことになる。
又、スペース６に第１凹み１７を設け、複数の第１スイッチ４を第１凹み１７に配置すると共に、複数の第１スイッチ４を覆うための第１蓋１８を設け、第１蓋１８面とスペース６面の段差を無くし、又、複数の第１光センサー８はスペース６面以下に埋設配置することで模造体７とスペース６の密着性が高められる。
なお、図１においては説明上から複数の第１スイッチ４が表記されているが、実際には第１スイッチ４は第１蓋１８により隠蔽されるものである。同様に表記されている複数のＬＥＤ１２も後記する第２蓋２０により隠蔽されるものである。
又、図１においては第１スイッチ４を活用することで正解を教える機能を付加している。複数の第１スイッチ４を２回路対応型とし、各々の第１スイッチ４を操作して接点を切り替えることで連結するＬＥＤ点灯回路１１を付加し、各々のＬＥＤ点灯回路１１により点灯するＬＥＤ１２を設ける。つまり、動作電圧はＬＥＤ点灯回路１１側の複数の第１スイッチ４に供給され、続いて第１スイッチ４の操作により連結するＬＥＤ点灯回路１１に供給され、対応するＬＥＤ１２の点灯により正解の模造体７を教えるものである。
又、スペース６に第２光センサー１３を設け、第２光センサー１３の反応によりリレー１４を動作させるか否かで複数の第１光センサー８、複数の第１光センサー８の増幅回路及び複数のトランジスタスイッチ５と、ＬＥＤ点灯回路１１側の複数の第１スイッチ４の動作電圧の供給の選択を担う様にする。又、リレー１４とＬＥＤ点灯回路１１側の複数の第１スイッチ４の連結を解除する接点部１５を設け、接点部１５を第２スイッチ１０に増設することで接点部１５が第２スイッチ１０の操作により動作する様にし、リレー１４の動作の際、つまり、光を受光した第２光センサー１３の反応により増幅回路を経てリレー１４を動作させ、接点部１５が増設された第２スイッチ１０に動作電圧を供給し、第２スイッチ１０の操作によりＬＥＤ点灯回路１１側の複数の第１スイッチ４に動作電圧を供給し、第１スイッチ４の操作により連結するＬＥＤ点灯回路１１に動作電圧を供給し、対応するＬＥＤ１２の点灯により正解の模造体７を教えることになる。因に図２においては光を受光した第２光センサー１３の反応によりリレー１４が動作している状況を示すものである。
学習者により選択された模造体７をスペース６に乗せる状況においては模造体７が第２光センサー１３の部位を外光から遮るため、第２光センサー１３の無反応によりリレー１４は動作しない。そのため複数の第１光センサー８、複数の第１光センサー８の増幅回路及び複数のトランジスタスイッチ５に動作電圧が供給されるため、第２スイッチ１０の操作によりスペース６に乗せる模造体７に対して正誤判断が行えることになる。又、模造体７をスペース６に乗せない状況においては第２光センサー１３の部位が外光に照らされるため、光を受光した第２光センサー１３の反応により増幅回路を経てリレー１４を動作させることになる。そのため第２スイッチ１０の操作によりＬＥＤ点灯回路１１側の複数の第１スイッチ４に動作電圧が供給され、第１スイッチ４と連結するＬＥＤ点灯回路１１に対応するＬＥＤ１２の点灯により正解の模造体７が教えられることになる。
【実施例】
【０００６】  又、図１においてはスペース６に第２凹み１９を設け、複数のＬＥＤ１２を第２凹み１９に配置すると共に、複数のＬＥＤ１２を覆うための第２蓋２０が設けられている。例えば複数のＬＥＤ１２をスペース６面以下に埋設配置した場合、模造体７をスペース６に乗せない状況において不用意に第２スイッチ１０に接触することでＬＥＤ１２を点灯させ、出題の事前に正解の模造体７を教えてしまう懸念がある。そのため複数のＬＥＤ１２を第２蓋２０により隠蔽することで不用意な第２スイッチ１０の接触の際にもＬＥＤ１２の点灯が確認できない様に対処する。なお、複数のＬＥＤ１２を第２凹み１９に配置する構成の他、複数のＬＥＤ１２を第２蓋２０の内側の面に配置し、第２蓋２０を開放状態にしてＬＥＤ１２を学習者に対向させて点灯確認が容易にできる様にする手段が図られる。
又、各々のＬＥＤ１２に隣接して第１スイッチ４及び模造体７に対応した番号を付与することで照合を容易にすることが適切である。なお、第２蓋２０面とスペース６面の段差を無くすことで模造体７とスペース６の密着性が高められる。
又、図２においてはリレー１４と接点部１５の連結及び、連結解除を担う第３スイッチ２１が設けられている。この第３スイッチ２１は第２蓋２０が開放状態の際には接点部１５に動作電圧を供給し、第２蓋２０が閉鎖状態の際には接点部１５への動作電圧の供給を遮断するものである。因に図２においては第２蓋２０が閉鎖状態にあることを示すものである。
又、第１スイッチ４は操作することで接点の切り替えが持続するものを採用し、又、第２スイッチ１０は接点の切り替えが持続するものや押している間のみ接点の切り替えが行えるものを採用する。又、第３スイッチ２１は押している間のみ接点の切り替えが行えるものが良く、プッシュオフ型の採用も手段の１つである。
又、複数の第１スイッチ４が配置される第１凹み１７は容積を確保することで第１光センサー８及び第２光センサー１３の感度調整ボリュームや第１音声回路２及び第２音声回路３の音量調整ボリュームを配置することも適切である。
又、知育装置１に大きいサイズの模造体７のスペース６への着脱を円滑に行うための切れ込み２２を設けるが、小さいサイズの模造体７の着脱の際は模造体７の立体的な造作部位を支持することで着脱のための切れ込みを設けないことも可能である。又、小さいサイズの模造体７の角が接するスペース６の部位に突出可能なホルダー２３を設け、小さいサイズの模造体７の使用の際はホルダー２３を枠２４から突出させて小さいサイズの模造体７のためのコーナーを作ることで小さいサイズの模造体７を枠２４内に安定的に収めることができる。因に図１においてはホルダー２３は突出の状態に無いことを示すものである。
【発明の効果】
【０００７】（ａ）  知育装置１には問題集冊子と正解集冊子を備えることが適切であるが、知育装置１に正解を教える機能を付加させることで学習者の興味や探究心を高めることができる。又、第２スイッチ１０の操作のみの簡便な手段により正誤判断機能や正解を教える機能が動作するため、機能を手軽に活用することができる。又、多くのスイッチを設置する装置や操作方法が難解である装置に対し、学習者が模造体７と触れ合いながら１つのスイッチ操作で機能させられる身近な装置として重宝する一方、好感の持てる外観に仕上げることができる。
（ｂ）  模造体７をスペース６に乗せない状況においては複数の第１光センサー８、複数の第１光センサー８の増幅回路及び複数のトランジスタスイッチ５に動作電圧が供給されないため、模造体７をスペース６に乗せない状況においての節電効果が期待できる。更に、模造体７をスペース６に乗せない状況において不用意に第２スイッチ１０に接触した際にも第１音声回路２又は第２音声回路３の動作を未然に防止することができる。
（ｃ）  リレー１４と接点部１５の連結及び、連結解除を担う第３スイッチ２１を設けることで、模造体７をスペース６に乗せない状況において第２蓋２０が閉鎖状態の中で不用意に第２スイッチ１０に接触した際にもＬＥＤ点灯回路１１の動作を未然に防止することができる。
【図面の簡単な説明】
【図１】  知育装置１と学習者が選択する模造体７例を示す平面図
【図２】  本発明のブロック回路図
【符号の説明】
１  知育装置            ２  第１音声回路              ３  第２音声回路
４  第１スイッチ        ５  トランジスタスイッチ      ６  スペース
７  模造体              ８  第１光センサー            ９  穴
１０  第２スイッチ      １１  ＬＥＤ点灯回路          １２  ＬＥＤ
１３  第２光センサー    １４  リレー                  １５  接点部
１６  スピーカー        １７  第１凹み                １８  第１蓋
１９  第２凹み          ２０  第２蓋                  ２１  第３スイッチ
２２  切れ込み          ２３  ホルダー                ２４  枠
【図１】
2008287201.tif 000003
【図２】
2008287201.tif 000004